【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
移動式リフトクレーンであって、
ａ）車体と、
ｂ）前記車体に取り付けられる少なくとも４つのクローラであって、各クローラが水平軸線を有するトラニオンによって前記車体に取り付けられるクローラフレームを有し、前記クローラフレームが、前記トラニオンの水平軸線を中心に前記車体に対し枢動できるように前記車体に取り付けられる少なくとも４つのクローラと、
ｃ）前記クローラに対し旋回できるように前記車体に回転可能に接続される旋回体と、
ｄ）前記旋回体に枢動可能に取り付けられるブームと、
ｅ）前記クローラフレームと前記車体との間に接続されかつ前記トラニオンの少なくとも１つを通して延在するリニアアクチュエータと、
を備える移動式リフトクレーン。
【請求項２】
前記リニアアクチュエータが、ボアを有する複動油圧シリンダと、前記ボアに取り付けられかつ前記シリンダのピストン端部を形成するピストンと、前記ピストン端部の反対側で前記ピストンに接続されかつ前記ボアの出口端から延在し、前記シリンダのロッド端部を形成するロッドとを備える、請求項１に記載の移動式リフトクレーン。
【請求項３】
前記少なくとも１つのトラニオンが第１及び第２の反対側端部を有し、前記第１端部が前記車体に着脱自在に接続され、前記油圧シリンダの前記ロッド端部も前記車体に着脱自在に接続される、請求項２に記載の移動式リフトクレーン。
【請求項４】
前記少なくとも１つのトラニオンの前記第２端部が前記クローラフレームに着脱自在に接続され、前記油圧シリンダの前記ピストン端部も、前記トラニオンの前記第２端部に隣接して前記クローラフレームに着脱自在に接続される、請求項３に記載の移動式リフトクレーン。
【請求項５】
前記車体が、別個に運搬して、現場で再び組み立て得る２つの側部部材と２つの端部横断部材とに分解されることができる、請求項１〜４のいずれか一項に記載の移動式リフトクレーン。
【請求項６】
前記車体が、前記側部部材及び端部横断部材から同様に分解可能な中央横断部材をさらに備え、前記中央横断部材が、前記旋回体が枢動可能に取り付けられるキングピンを含む、請求項５に記載の移動式リフトクレーン。
【請求項７】
各クローラが、前記フレームに支持される少なくとも１つの駆動タンブラと、複数の接続された無限軌道シューから形成され、かつ地面係合表面と、前記地面係合表面と反対側の内面とを有する無限軌道とをさらに備え、前記無限軌道が、前記複数のシューが前記駆動タンブラと接触し、前記無限軌道が前記フレームの周りを通過するように前記駆動タンブラの周りに巻き付けられる、請求項１〜６のいずれか一項に記載の移動式リフトクレーン。
【請求項８】
自動取付け機構を有する移動式リフトクレーン用のトラニオンであって、
ａ）長手方向軸線と、クレーン車体に接続するために構成された第１端部と、クローラフレームに接続するために構成された第２端部とを有する管状部材であって、前記端部の少なくとも１つが、前記長手方向軸線が水平とされているときに、前記長手方向軸線を中心に前記車体に対し前記クローラフレームの回転運動を可能にするように構成される管状部材と、
ｂ）前記管状部材内に取り付けられるリニアアクチュエータであって、第１及び第２の端部を有するリニアアクチュエータと、
ｃ）前記リニアアクチュエータの前記第１端部に取り付けられる車体コネクタと、前記リニアアクチュエータの前記第２端部に取り付けられるクローラフレームコネクタと、
を備えるトラニオン。
【請求項９】
前記リニアアクチュエータが、ボアを有する油圧シリンダと、前記ボアに取り付けられかつ前記シリンダのピストン端部を形成するピストンと、前記ピストン端部の反対側で前記ピストンに接続されかつ前記ボアの出口端から延在し、前記シリンダのロッド端部を形成するロッドとを備える、請求項８に記載のトラニオン。
【請求項１０】
前記車体コネクタが、前記リニアアクチュエータの前記第１端部に取り付けられるクレビス部材を備え、前記クレビスが、孔を各々が有する延長部を有し、前記孔によって前記クレビスを他の構造にピン止めし、前記他の構造を前記車体に接続することができる、請求項８又は９に記載のトラニオン。
【請求項１１】
前記クローラフレームコネクタが横断方向部材を備え、該横断方向部材がその中央部分で前記リニアアクチュエータの前記第２端部に接続されかつ孔を有し、前記孔によって、前記横断方向部材を前記クローラフレームにピン止めすることができるようにした、請求項８〜１０のいずれか一項に記載のトラニオン。
【請求項１２】
前記管状部材が、前記管状部材の外面に設けられ１つの保持リングを受容するように構成された第１周方向溝と、同様に前記管状部材の外面に設けられ前記第２端部に隣接して１つの保持リングを受容するように構成された第２の周方向溝とを含む、請求項８〜１１のいずれか一項に記載のトラニオン。
【請求項１３】
前記リニアアクチュエータが、前記トラニオンの内側に固定される長手方向ガイドに沿って回転できるローラに接続される、請求項８〜１２のいずれか一項に記載のトラニオン。
【請求項１４】
移動式リフトクレーンを、その操作に際して、組み立てる方法であって、前記移動式リフトクレーンが、ｉ）車体と、ｉｉ）トラニオンを介して前記車体に各々が接続される少なくとも４つのクローラであって、各トラニオンが中空の中央管状部材を備え、前記トラニオンが、前記車体に対する前記クローラの枢動を可能にし、前記クローラが前記クレーンの地面上の移動を可能にする少なくとも４つのクローラと、ｉｉｉ）前記クローラに対し旋回できるように前記車体に回転可能に接続される旋回体と、ｉｖ）前記旋回体に枢動可能に取り付けられるブームであって、それから吊り荷ホイストラインが延在するブームとを有し、前記方法が、
ａ）各トラニオンに自動取付け機構を設けるステップであって、前記自動取付け機構が、ｉ）前記中空の中央管状部材内に取り付けられるリニアアクチュエータであって、第１及び第２の端部を有するリニアアクチュエータと、ｉｉ）前記リニアアクチュエータの前記第１端部に取り付けられる車体コネクタと、ｉｉｉ）前記リニアアクチュエータの前記第２端部に取り付けられるクローラフレームコネクタとを備えるステップと、
ｂ）前記トラニオンを前記車体に隣接して配置するステップと、
ｃ）前記車体コネクタを前記車体に接続できる箇所に前記リニアアクチュエータを伸長し、前記車体コネクタを前記車体に接続するステップと、
ｄ）前記リニアアクチュエータを引っ込め、これによって、前記トラニオンを前記車体に対する作業位置に引き込むステップと、
ｅ）前記クローラを前記トラニオンに隣接して配置するステップと、
ｆ）前記クローラフレームコネクタを前記クローラフレームに接続できる箇所に前記リニアアクチュエータを伸長し、前記クローラフレームコネクタを前記クローラフレームに接続するステップと、
ｇ）前記リニアアクチュエータを引っ込め、これによって、前記クローラフレームを前記トラニオンに対する作業位置に引き込むステップと、
を含む方法。
【請求項１５】
前記トラニオンを前記クローラフレームに関する作業位置に引き込むステップが、クローラフレーム孔を前記中空の中央管状部材の端部部分に被せて引っ張ることを含む、請求項１４に記載の方法。
【請求項１６】
前記リニアアクチュエータを引っ込め、これによって、前記クローラフレームを前記トラニオンに対する作業位置に引き込むステップが、前記トラニオンを前記車体に隣接して配置し、前記トラニオンを前記車体に関し作業位置に引き込むステップの前に行われる、請求項１４又は１５に記載の方法。
【請求項１７】
前記リニアアクチュエータを引っ込め、これによって、前記クローラフレームを前記トラニオンに対する作業位置に引き込むステップが、クレーン設置前ステップで行われ、前記トラニオンがクローラフレームに接続されつつ新しい現場に運搬され、その後、前記クレーンが前記新しい現場で設置されるとき、前記クローラ及び前記トラニオンが前記車体に接続される、請求項１５に記載の方法。
【請求項１８】
前記トラニオンが、前記クローラフレーム内の運搬位置で前記新しい現場に運搬され、前記管状部材が、前記クローラフレームの作業位置におけるよりも、前記クローラフレーム内のより中央に位置決めされる、請求項１７に記載の方法。
【請求項１９】
前記クローラフレームコネクタが、２つの異なる組のリンクにより前記クローラフレームに接続可能であり、前記クローラフレーム孔が前記トラニオンの端部部分に被せて及び前記トラニオンの作業位置に引っ張られるときに前記第１の組のリンクが使用され、前記トラニオンが前記運搬位置に在るときに前記第２の組のリンクが使用される、請求項１８に記載の方法。
【請求項２０】
前記リニアアクチュエータを引っ込め、これによって、前記トラニオンを前記車体に対する作業位置に引き込むステップが、事前のクレーン設置ステップで行われ、前記トラニオンが車体部材に接続されつつ新しい現場に運搬され、その後、前記クレーンが前記新しい現場で設置されるとき、前記クローラが前記組み合わせたトラニオン及び車体に接続される、請求項１４〜１９のいずれか一項に記載の方法。
【請求項２１】
前記車体が、前記新しい現場に別個に各々が運搬される２つの側部部材と２つの端部横断部材とに分解され、前記トラニオンが前記新しい現場への運搬中に前記横断部材に接続される、請求項２０に記載の方法。